(57)【要約】【課題】調整式プリズム視力訓練装置の提供。【解決手段】本発明の調整式プリズム視力訓練装置は、固定手段を具え、使用者の眼球前方に設置或いは装着され、該固定手段にあって使用者の眼球に対応する位置に、光線を通過させるウインドウが設けられている。該ウインドウ内に調整式光線屈折装置が設けられ、それは第１レンズと第２レンズを具え、該第２レンズが駆動装置により伝動機構を介して駆動されて第１レンズに対して回転し第１レンズとの間の夾角を改変し、これにより入射光線の屈折状態を改変して使用者の眼球を外転させる。重複して使用者の眼球を外転させることにより視力訓練の効果を達成する。【選択図】        図５
2004351103.tif 000002
【特許請求の範囲】
【請求項１】
調整式プリズム視力訓練装置において、
光線を通過させる少なくとも一つのウインドウを具えた固定手段と、
該ウインドウ内に設置されて第１レンズと第２レンズを具えた少なくとも一つの調整式光線屈折装置と、を具え、該第１レンズと第２レンズがウインドウ内に設置され、第２レンズが、第１種の屈折状態を以て光線に該ウインドウを通過させる第１夾角を第１レンズとの間に形成し、第２レンズが第１レンズに対して活動して、第１夾角を、入射光線を第１種の屈折状態から第２種の屈折状態に改変する第２夾角に改変させられることを特徴とする、調整式プリズム視力訓練装置。
【請求項２】
請求項１記載の調整式プリズム視力訓練装置において、伝動機構により第２レンズに連結されて第２レンズを第１レンズに対して活動させる駆動装置を具えたことを特徴とする、調整式プリズム視力訓練装置。
【請求項３】
請求項１記載の調整式プリズム視力訓練装置において、調整式光線屈折装置がフレキシブルチューブを具え、該フレキシブルチューブが第１レンズと第２レンズの間に連接されて第１レンズと第２レンズの間に密閉された空間を形成し、この空間内に透明流体が充填されたことを特徴とする、調整式プリズム視力訓練装置。
【請求項４】
請求項１記載の調整式プリズム視力訓練装置において、第２レンズが枢接軸でウインドウ内に枢接され、第１レンズに対して回転可能とされ、これにより第１夾角が第２夾角に改変可能とされたことを特徴とする、調整式プリズム視力訓練装置。
【請求項５】
請求項１記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置。
【請求項６】
請求項１記載の調整式プリズム視力訓練装置において、第１レンズが凸レンズを具えたことを特徴とする、調整式プリズム視力訓練装置。
【請求項７】
請求項２記載の調整式プリズム視力訓練装置において、調整式光線屈折装置がフレキシブルチューブを具え、該フレキシブルチューブが第１レンズと第２レンズの間に連接されて第１レンズと第２レンズの間に密閉された空間を形成し、この空間内に透明流体が充填されたことを特徴とする、調整式プリズム視力訓練装置。
【請求項８】
請求項２記載の調整式プリズム視力訓練装置において、第２レンズが枢接軸でウインドウ内に枢接され、第１レンズに対して回転可能とされ、これにより第１夾角が第２夾角に改変可能とされたことを特徴とする、調整式プリズム視力訓練装置。
【請求項９】
請求項８記載の調整式プリズム視力訓練装置において、枢接軸が第２レンズの中間部分に位置し、且つ伝動機構が線形移動する可動手段を具え、該可動手段が第２レンズの側辺に連結され、可動手段が線形移動する時、第２レンズが駆動されて枢接軸の周囲を回転することを特徴とする、調整式プリズム視力訓練装置。
【請求項１０】
請求項９記載の調整式プリズム視力訓練装置において、駆動装置がモータと、該モータの出力軸に連結されたスクリューロッドを具え、可動手段が雌ネジ孔を具えて該スクリューロッドに噛み合い、スクリューロッドがモータの駆動により回転する時、可動手段がスクリューロッドの軸線方向に沿って線形移動することを特徴とする、調整式プリズム視力訓練装置。
【請求項１１】
請求項１０記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置。
【請求項１２】
請求項１０記載の調整式プリズム視力訓練装置において、第１レンズが凸レンズを具えたことを特徴とする、調整式プリズム視力訓練装置。
【請求項１３】
請求項７記載の調整式プリズム視力訓練装置において、第２レンズが枢接軸でウインドウ内に枢接され、第１レンズに対して回転可能とされ、これにより第１夾角が第２夾角に改変可能とされたことを特徴とする、調整式プリズム視力訓練装置。
【請求項１４】
請求項１３記載の調整式プリズム視力訓練装置において、枢接軸が第２レンズの中間部分に位置し、且つ伝動機構が線形移動する可動手段を具え、該可動手段が第２レンズの側辺に連結され、可動手段が線形移動する時、第２レンズが駆動されて枢接軸の周囲を回転することを特徴とする、調整式プリズム視力訓練装置。
【請求項１５】
請求項１４記載の調整式プリズム視力訓練装置において、駆動装置がモータと、該モータの出力軸に連結されたスクリューロッドを具え、可動手段が雌ネジ孔を具えて該スクリューロッドに噛み合い、スクリューロッドがモータの駆動により回転する時、可動手段がスクリューロッドの軸線方向に沿って線形移動することを特徴とする、調整式プリズム視力訓練装置。
【請求項１６】
請求項１５記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置。
【請求項１７】
請求項１５記載の調整式プリズム視力訓練装置において、第１レンズが凸レンズを具えたことを特徴とする、調整式プリズム視力訓練装置。
【請求項１８】
請求項７記載の調整式プリズム視力訓練装置において、枢接軸が第２レンズの側辺に設置され、伝動機構が充填流体をフレキシブルチューブの内部空間内に注入するための流体供給源を具え、強制的に第２レンズに枢接軸の回りを回転させて、第１夾角を第２夾角に改変させることを特徴とする、調整式プリズム視力訓練装置。
【請求項１９】
請求項１８記載の調整式プリズム視力訓練装置において、流体供給源が圧力シリンダとされ、その内部に流体が充填されて導管を介してフレキシブルチューブ内部の空間と連通し、ピストンが駆動装置の駆動により該圧力シリンダ内を移動することにより流体を圧迫してフレキシブルチューブ内部の空間内に注入することを特徴とする、調整式プリズム視力訓練装置。
【請求項２０】
請求項１９記載の調整式プリズム視力訓練装置において、駆動装置がモータと、該モータの出力軸に連結されたスクリューロッドを具え、ピストンが該スクリューロッドに噛み合い、該スクリューロッドがモータの駆動により回転する時、ピストンが圧力シリンダ内を移動することを特徴とする、調整式プリズム視力訓練装置。
【請求項２１】
請求項２０記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置。
【請求項２２】
請求項２１記載の調整式プリズム視力訓練装置において、第１レンズが凸レンズを具えたことを特徴とする、調整式プリズム視力訓練装置。
【発明の詳細な説明】
【０００１】
【発明の属する技術分野】
本発明は一種の調整式プリズム視力訓練装置に係り、特に、眼球を自然状態下で適度に活動させることにより、近視度数が上がるのを防止し、近視度数を減らす装置に関する。
【０００２】
【従来の技術】
眼球の構造は、一部カメラのようであり、その内部の毛様体内の毛様体筋が水晶体の厚さの制御を行い調節（Ａｃｃｏｍｍｏｄａｔｉｏｎ）させ、遠くの影像も近くの影像もいずれも明らかに見えるようにする。眼球外部には６本の外眼筋があり、眼球回転の方向を制御する。両眼の各６条の外眼筋は相互に協調し、同一方向を注視し及び同一目標を固視する作用を形成する。近くを観る時、両眼は自動内転し（Ｃｏｎｖｅｒｇｅｎｃｅ）し、遠くを観る時は自動外転（Ｄｉｖｅｒｇｅｎｃｅ）、同一の目標に向かう。
【０００３】
この両眼の内転と外転の機能、及び水晶体の調節機能は相補及び増強の効果を有しうる。これは眼科医学の既知の事実である。即ち、両眼で近くを観る時は内転が毛様体筋の収縮により水晶体を厚くなるよう調節して近くが明らかに見えるようにする。両眼で遠くを観る時は、外眼筋の外転動作により、反対に毛様体筋の弛緩調節を行い、水晶体を自動的に薄くし、遠くがはっきりと見えるようにする。
【０００４】
文明の発達により、近距離の視力作業が増加しているが、特に青少年期は眼球発育の時期であり、過度に長時間の近い所での作業、例えば宿題、読書、コンピュータ及びテレビは、いずれも毛様体筋及び両眼の内直筋を長時間過度に収縮させ、硬化させる。初期の毛様体筋の硬化化はすでに肥厚した水晶体で遠くを観る時に薄くすることができず、遠くの影像が網膜の前に結像し、遠くを観る時にぼんやりとさせ、これにより近視を形成する。
【０００５】
近視は、その形成の原因により、ほぼ屈折性近視と軸性近視に分けられる。屈折性近視は毛様体筋の過度の収縮による水晶体の肥厚により、影像が網膜前に結ばれることにより起こる。軸性近視は水晶体は正常であるが、眼軸が長すぎることにより影像が網膜に到達しないことにより形成される。近視の初期はいずれも屈折性近視、例えば仮性近視より始まる。屈折性近視になってある時間を経過すると、内外眼筋を適度に弛緩させられなくなり、長時間続けて作業した後に、眼球がこのような状態に徐々に適応して眼軸が徐々に増長し、近いところの影像が網膜に結像するようになると、いわゆる軸性近視に変わる。これらはいずれも後天環境が形成し、現在台湾の多くの人が近視を患っている。
【０００６】
近視は年々悪化する原因は、屈折性近視と軸性近視の相互悪性循環の結果である。ゆえに、屈折性近視を抑制して、眼球の軸長を過度に増長させないようにすることができれば、軸性近視の悪化を抑制できる。
【０００７】
人類は両眼が並列配置されて前を観る動物に属する。このような動物の眼球回転は遠くを観る時も、近くを見る時も永遠にただ内転するだけである。理論上、ただ外転を強化して、遠い所の平行視線よりも更に外転した眼位としなければ、高度文明が増加させた内転作用との平衡を得ることはできない。眼球が内転する時、内転の程度により調節補助を自動増加する。外転の動作は反対の効果を有し、調節補助を減少する。これは眼科医学の既知の事実である。これにより、長時間過度の内転と調節が近視発生及び悪化の原因であるといえる。
【０００８】
一般の正常視力の人（近視のない人）も、近距離のものを観る時があるが、どうして近視が形成されないかというと、これは近視の原因が、長時間固定フォーカス、特に近くのフォーカスにあり、二つの因子の相乗により引き起こされるためである。正常な視力の人は、比較的少ない時間近くにフォーカスするため、外眼筋が十分に新鮮に、活発に保持され、硬化せず、自在に遠くも近くも観ることができる。
【０００９】
眼筋と身体のその他の部分の筋肉、例えば手腕や腿部の筋肉は同じである。長時間手腕を卓上に置いて固定された姿勢で動かねば、手腕の筋肉はコリや痛みを、強張りを形成し、活発でなくなる。反対に手腕を移動させる時は筋肉のコリや痛み、強張りを形成しえない。これにより、眼球の内、外眼筋も、同様であり、常時焦点を変換し活動させていれば硬化することはなく、近視を予防できる。これにより、近視を防止し並びに完全には近いところでの作業を完全には捨て去らなくともよくするには、近いところでの作業を行う時に、内、外眼筋を活発に伸縮運動させることが必要である。すなわち、眼球の内転、外転、調節及び調節弛緩の四種類の動作を単時間内に交換して行い、長時間焦点及び眼位に固定しなければ、長時間近いものを観るという悪習慣により引き起こされる近視を打破できる。
【００１０】
前述の原理に基づき、本件出願人は既に特許文献１を提出しており、それはプリズム或いは凸プリズムを使用者の眼の前方に可動式に設置し、重複して使用者の眼球を外転させることにより、視力訓練の効果を達成するものである。しかし、この特許文献１に記載の方法と装置は有効に眼球訓練の目的を達成できるが、まだ改良の余地はある。例えばその使用するプリズム或いは凸プリズムは固定の度数を有するため、眼球に対しては、プリズム或いは凸プリズムが不断に重複して進退する時、眼球が速やかに筋肉を緊張或いは開放させてレンズ度数の変化に合わせなければならないため、眼球の負担が増しやすいという問題を有している。
【００１１】
【特許文献１】
台湾特許出願第９１１１６０７４号明細書
【００１２】
【発明が解決しようとする課題】
以上を鑑み、本発明は一種の使用者の眼球を徐々に外転させられる調整式プリズム視力訓練装置を提供し、前述の問題を克服する。
【００１３】
本発明の主要な目的は、一種の調整式プリズム視力訓練装置を提供することにあり、それは使用者の眼球の前方に設置される可変度数プリズムを具え、可変度数プリズムの度数の漸次並びに重複した増加或いは減少により、眼球を重複して不断に徐々に外転させ、これにより過度に収縮した眼球内直筋をリラックスさせ、眼球訓練の効果を達成する装置とされる。
【００１４】
本発明のもう一つの目的は、一種の調整式プリズム視力訓練装置を提供することにあり、それは、可変度数プリズムに組み合わされる凸レンズを具え、近距離作業時に内直筋をリラックスさせ並びに焦点距離を変化させて、リラックスしたフォーカスが行えるようにする装置とされる。
【００１５】
本発明のさらに別の目的は、一種の調整式プリズム視力訓練装置を提供することにあり、それは、使用者の眼球前方に設置される可変度数プリズムを具え、短時間内に不断にプリズムの度数を改変して内外眼筋を活動させ、これにより近視の発生の防止或いは近視度数の増加の防止を達成する装置とされる。
【００１６】
本発明のさらにまた別の目的は、一種の調整式プリズム視力訓練装置を提供することにあり、それは、使用者の眼球前方に設置される可変度数プリズムを具え、眼球の物を見る時の内転作用を軽減し、並びに外転機能を強化し、眼球の後極部と視神経を反対方向に押圧することにより、軸性近視を減らす効果を得られるようにする装置とされる。
【００１７】
本発明の別の目的は、一種の調整式プリズム視力訓練装置を提供することにあり、それは、使用者が休憩している時に、視力訓練の作業を行うことができ、使用者に生活上の不便をもたらさない装置とされる。
【００１８】
【課題を解決するための手段】
請求項１の発明は、調整式プリズム視力訓練装置において、
光線を通過させる少なくとも一つのウインドウを具えた固定手段と、
該ウインドウ内に設置されて第１レンズと第２レンズを具えた少なくとも一つの調整式光線屈折装置と、を具え、該第１レンズと第２レンズがウインドウ内に設置され、第２レンズが、第１種の屈折状態を以て光線に該ウインドウを通過させる第１夾角を第１レンズとの間に形成し、第２レンズが第１レンズに対して活動して、第１夾角を、入射光線を第１種の屈折状態から第２種の屈折状態に改変する第２夾角に改変させられることを特徴とする、調整式プリズム視力訓練装置としている。
請求項２の発明は、請求項１記載の調整式プリズム視力訓練装置において、伝動機構により第２レンズに連結されて第２レンズを第１レンズに対して活動させる駆動装置を具えたことを特徴とする、調整式プリズム視力訓練装置としている。
請求項３の発明は、請求項１記載の調整式プリズム視力訓練装置において、調整式光線屈折装置がフレキシブルチューブを具え、該フレキシブルチューブが第１レンズと第２レンズの間に連接されて第１レンズと第２レンズの間に密閉された空間を形成し、この空間内に透明流体が充填されたことを特徴とする、調整式プリズム視力訓練装置としている。
請求項４の発明は、請求項１記載の調整式プリズム視力訓練装置において、第２レンズが枢接軸でウインドウ内に枢接され、第１レンズに対して回転可能とされ、これにより第１夾角が第２夾角に改変可能とされたことを特徴とする、調整式プリズム視力訓練装置としている。
請求項５の発明は、請求項１記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置としている。
請求項６の発明は、請求項１記載の調整式プリズム視力訓練装置において、第１レンズが凸レンズを具えたことを特徴とする、調整式プリズム視力訓練装置としている。
請求項７の発明は、請求項２記載の調整式プリズム視力訓練装置において、調整式光線屈折装置がフレキシブルチューブを具え、該フレキシブルチューブが第１レンズと第２レンズの間に連接されて第１レンズと第２レンズの間に密閉された空間を形成し、この空間内に透明流体が充填されたことを特徴とする、調整式プリズム視力訓練装置としている。
請求項８の発明は、請求項２記載の調整式プリズム視力訓練装置において、第２レンズが枢接軸でウインドウ内に枢接され、第１レンズに対して回転可能とされ、これにより第１夾角が第２夾角に改変可能とされたことを特徴とする、調整式プリズム視力訓練装置としている。
請求項９の発明は、請求項８記載の調整式プリズム視力訓練装置において、枢接軸が第２レンズの中間部分に位置し、且つ伝動機構が線形移動する可動手段を具え、該可動手段が第２レンズの側辺に連結され、可動手段が線形移動する時、第２レンズが駆動されて枢接軸の周囲を回転することを特徴とする、調整式プリズム視力訓練装置としている。
請求項１０の発明は、請求項９記載の調整式プリズム視力訓練装置において、駆動装置がモータと、該モータの出力軸に連結されたスクリューロッドを具え、可動手段が雌ネジ孔を具えて該スクリューロッドに噛み合い、スクリューロッドがモータの駆動により回転する時、可動手段がスクリューロッドの軸線方向に沿って線形移動することを特徴とする、調整式プリズム視力訓練装置としている。
請求項１１の発明は、請求項１０記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置としている。
請求項１２の発明は、請求項１０記載の調整式プリズム視力訓練装置において、第１レンズが凸レンズを具えたことを特徴とする、調整式プリズム視力訓練装置としている。
請求項１３の発明は、請求項７記載の調整式プリズム視力訓練装置において、第２レンズが枢接軸でウインドウ内に枢接され、第１レンズに対して回転可能とされ、これにより第１夾角が第２夾角に改変可能とされたことを特徴とする、調整式プリズム視力訓練装置としている。
請求項１４の発明は、請求項１３記載の調整式プリズム視力訓練装置において、枢接軸が第２レンズの中間部分に位置し、且つ伝動機構が線形移動する可動手段を具え、該可動手段が第２レンズの側辺に連結され、可動手段が線形移動する時、第２レンズが駆動されて枢接軸の周囲を回転することを特徴とする、調整式プリズム視力訓練装置としている。
請求項１５の発明は、請求項１４記載の調整式プリズム視力訓練装置において、駆動装置がモータと、該モータの出力軸に連結されたスクリューロッドを具え、可動手段が雌ネジ孔を具えて該スクリューロッドに噛み合い、スクリューロッドがモータの駆動により回転する時、可動手段がスクリューロッドの軸線方向に沿って線形移動することを特徴とする、調整式プリズム視力訓練装置としている。
請求項１６の発明は、請求項１５記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置としている。
請求項１７の発明は、請求項１５記載の調整式プリズム視力訓練装置において、第１レンズが凸レンズを具えたことを特徴とする、調整式プリズム視力訓練装置としている。
請求項１８の発明は、請求項７記載の調整式プリズム視力訓練装置において、枢接軸が第２レンズの側辺に設置され、伝動機構が充填流体をフレキシブルチューブの内部空間内に注入するための流体供給源を具え、強制的に第２レンズに枢接軸の回りを回転させて、第１夾角を第２夾角に改変させることを特徴とする、調整式プリズム視力訓練装置としている。
請求項１９の発明は、請求項１８記載の調整式プリズム視力訓練装置において、流体供給源が圧力シリンダとされ、その内部に流体が充填されて導管を介してフレキシブルチューブ内部の空間と連通し、ピストンが駆動装置の駆動により該圧力シリンダ内を移動することにより流体を圧迫してフレキシブルチューブ内部の空間内に注入することを特徴とする、調整式プリズム視力訓練装置としている。
請求項２０の発明は、請求項１９記載の調整式プリズム視力訓練装置において、駆動装置がモータと、該モータの出力軸に連結されたスクリューロッドを具え、ピストンが該スクリューロッドに噛み合い、該スクリューロッドがモータの駆動により回転する時、ピストンが圧力シリンダ内を移動することを特徴とする、調整式プリズム視力訓練装置としている。
請求項２１の発明は、請求項２０記載の調整式プリズム視力訓練装置において、複数の発光装置が、ウインドウの周囲に設置されて、選択的発光により使用者の視線を吸引することにより、眼球を活動させることを特徴とする、調整式プリズム視力訓練装置としている。
請求項２２の発明は、請求項２１記載の調整式プリズム視力訓練装置において、第１レンズが凸レンズを具えたことを特徴とする、調整式プリズム視力訓練装置としている。
【００１９】
【発明の実施の形態】
本発明は以下に複数の実施例を以て詳細に説明される。まず、図１、２は本発明の調整式プリズム視力訓練装置の設計原理を示す。図１に示されるのは、一般に人の眼球Ａが近い所にある物体Ｂを見る時の視線表示図である。このとき、眼球Ａは内転状態を呈し、視線が同一物体Ｂに集中する。本発明によると、眼球の長時間の過度の内転による過度のフォーカスの状況を矯正するため、眼球Ａの前方に光線屈折効果を具えたレンズ或いは光学部品、例えばプリズムＣ或いは前述の特許文献１に記載の凸プリズムが設置される。このプリズムＣの設置方式は、物体Ｂから眼球Ａ内に入射する光線を図２に示されるように屈折させるか、或いは入射光線の屈折状態を改変するよう設置され、これにより眼球Ａ内に入射する光線角度を改変し、強制的に眼球Ａを外転させる。重複してプリズムＣが眼球Ａ前方に移動させられることにより、不断に光線の入射角度が改変され、これにより眼球Ａが不断に内転と外転の間で変化し、強制的な眼球活動と視力訓練の目的が達成される。
【００２０】
続いて図３を参照されたい。前述の特許文献１中に記載されているように、このような装置は眼鏡Ｅに類似の構造に製造されて使用者が頭部Ｄに着用すると共に該プリズムＣが眼球Ａの前方に位置させられる。前述の特許文献１においては、眼鏡構造Ｅ内に伝動機構が設けられて、重複して不断にプリズムＣが進退するものとされ、それにより眼球Ａを重複して内転と外転の間で変動させている。しかし前述したように、このような操作方式は眼球Ａが視線の瞬間変化に耐える必要があり、眼球筋肉が比較的大きな変化圧力に耐えなければならない。このため本発明ではこのような視力訓練装置を改良し、このような問題を排除する。
【００２１】
図４及び図５は本発明の調整式プリズム視力訓練装置の第１実施例２を示す。それは図中、符号１００を以て表示されている。この調整式プリズム視力訓練装置１００はフレーム或いは固定手段１０２を具え、該フレーム或いは固定手段１０２は眼鏡のフレームの形態とされる（本実施例に示されるとおり）か、或いはその他の形式、例えば前述の特許文献１中に記載のヘッドバンド式、ゴーグル式或いは卓上型とされうる。
【００２２】
固定手段１０２の内部には使用者の眼球に対応するウインドウ１０４が設けられ、このウインドウ１０４は固定手段１０２の眼球に対応する二つの位置に設けられた穿孔とされるか、本実施例のように一つの大型の貫通区とされて同時に使用者の両眼をカバーするものとされる。このウインドウ１０４内の、使用者の眼球に対応する部分に、本発明の調整式光線屈折装置１０６が設置される。このほか、固定手段１０２内に駆動装置１０８、例えば電動モータが設けられ、本実施例では、これら調整式光線屈折装置１０６の間の、ウインドウ１０４内の位置に駆動装置１０８が設置されるが、この駆動装置１０８の設置位置はこれに限定されるものではない。
【００２３】
駆動装置１０８は伝動機構１１０により調整式光線屈折装置１０６に連接され、駆動装置１０８の駆動により、調整式光線屈折装置１０６がその度数を改変するか、或いはその屈折効果を改変し、即ち、入射光線が第１種の屈折状態（無屈折の状況とされうる）から第２種の屈折状態に改変し、これにより眼球内に入射する光線角度を改変し、前述の視力訓練効果を達成する。
【００２４】
調整式光線屈折装置１０６は、第１レンズ１１２と第２レンズ１１４を具え、そのうち第１レンズ１１２は固定手段１０２に固定されて移動不能とされ、第２レンズ１１４は可動方式で固定手段１０２のウインドウ１０４内に設置され、並びに伝動機構１１０を介して駆動装置１０８に連結され、駆動装置１０８の駆動により第１レンズ１１２に対して移動し、これにより第１レンズ１１２と第２レンズ１１４の間の空間関係が改変され、これにより光線が第１レンズ１１２と第２レンズ１１４を通過する時に発生する屈折効果が変化する。本実施例では、第２レンズ１１４は枢接の方式で固定手段１０２内に固定され、この調整式プリズム視力訓練装置１００にバンドが組み合わされて使用者の頭部Ｄに装着される時（図３）、第２レンズ１１４の枢接軸１１６がほぼ鉛直状を呈し、且つ第２レンズ１１４の内側辺縁１１８、即ち第２片の第２レンズ１１４と対向する辺縁が伝動機構１１０に連接されている。伝動機構１１０の駆動により、第２レンズ１１４がその枢接軸１１６の回りを回転し、それと第１レンズ１１２との間の夾角を改変し、一種のプリズムのような光学構造を形成し、言い換えると、第１レンズ１１２と第２レンズ１１４の間の夾角が第２レンズ１１４の回転により第１夾角（零度とされうる）から第１夾角と異なる度数の第２夾角に改変される。
【００２５】
この実施例中の第１レンズ１１２は不動とされるが、必要があれば可動式に設計されうる。
【００２６】
本実施例中、伝動機構１１０はスクリューロッド１２０を具え、該スクリューロッド１２０が直接駆動装置１０８のモータの出力軸に連接されるか或いはその他の方式でモータにより駆動されて回転する。スクリューロッド１２０のネジ山が雌ネジ孔（図示せず）を具えた可動手段１２２に噛み合い、スクリューロッド１２０の回転により、この可動手段１２２がスクリューロッド１２０の軸線方向に沿って線形移動する。第２レンズ１１４の内側辺縁１１８は適当な方式で可動手段１２２に連結され、これによりスクリューロッド１２０が駆動装置１０８により駆動されて回転する時、可動手段１２２の線形移動が第２レンズ１１４の枢接軸１１６の回りの回転に変換され、これにより第２レンズ１１４の第１レンズ１１２に対する夾角が改変され、これにより第１レンズ１１２と第２レンズ１１４が組成するプリズム式光学構造が入射光線の屈折効果を改変する。スクリューロッド１２０の回転は連続の作業とされ、これにより可動手段１２２の線形移動は無段式の漸進変化とされ、その駆動する第２レンズ１１４もまた無段式の漸進方式でその第１レンズ１１２に対する角度を改変し、ゆえに連続式に屈折効果を調整する機能が提供される。
【００２７】
この実施例中、スクリューロッド１２０の軸線方向はほぼ水平とされて使用者の顔とほぼ垂直とされるが、ご理解いただきたいことは、その設置方向と位置は駆動装置１０８の位置及び方向により改変され、これにより本実施例中に示されるものに限定されるわけではないことである。
【００２８】
最良の屈折効果を得るため、本発明はさらに第１レンズ１１２と第２レンズ１１４の間にフレキシブルチューブ１２４が設けられ、該フレキシブルチューブ１２４は本実施例では蛇腹管とされるか、或いはその他の形式のソフトチューブとされ、それは第１レンズ１１２と第２レンズ１１４の間で密閉された空間を形成し、その空間内に適当な屈折率を有する透明流体（未表示）が注入され、この流体の存在により、調整式光線屈折装置１０６が最良の屈折効果を提供し、視力訓練効果を達成させる。フレキシブルチューブ１２４自身の撓性により、その第２レンズ１１４の活動に対する干渉を防止できる。
【００２９】
このほか、注意すべきことは、第２レンズ１１４が回転する時にフレキシブルチューブ１２４内部の空間の一部が膨張し別の一部が縮小し、これにより第２レンズ１１４の枢接軸１１６の位置が、フレキシブルチューブ１２４内部の空間の総容積が第２レンズ１１４且つ小津時にだいたい固定されて不変に保持される位置とされ、これによりその内部の流体の圧力の不当な変化による傷害の形成を防止することである。例えば、本実施例に示されるように、枢接軸１１６は第２レンズ１１４のほぼ中間位置とされる。しかしこれは設計的選択事項にすぎず、本発明に不必要な制限を加えるものではない。
【００３０】
さらに、使用者が日常休息をとるときに、本発明の調整式プリズム視力訓練装置１００を着用できるようにするため、第１レンズ１１２（或いは第２レンズ１１４）はその他の光学効果を有するレンズに形成可能で、例えば本実施例に図示される凸レンズとされ、この凸レンズの度数は本装置を使用する時の距離の違いにより度数が異なり、即ち、（１）遠距離でテレビを見る時は約＋０．２５Ｄから＋０．７５Ｄ、（２）中距離でコンピュータスクリーンを見る時は約＋０．１５Ｄから＋２．００Ｄ、（３）近距離で文字を読み書きする時は約＋２．５Ｄから＋３．５０Ｄとされる。
【００３１】
続いて図６を参照されたい。この図は本発明の調整式プリズム視力訓練装置の第２実施例を示し、図中、調整式プリズム視力訓練装置は符号２００を以て表示されている。この調整式プリズム視力訓練装置２００は第１実施例の調整式プリズム視力訓練装置１００を改良したもので、その構造と作動原理は第１実施例と同じであるため重複した説明は行わないが、第２実施例の調整式プリズム視力訓練装置２００では、その固定手段１０２に複数の発光装置２２６、例えば発光ダイオードが設けられ、適当な回路（図示せず）により制御されて適時に発光するものとされ、これにより使用者の視線を吸引して眼球の活動と視力訓練の効果を達成する。
【００３２】
この実施例中、各調整式光線屈折装置１０６の周囲には、ウインドウ１０４に沿って合計４個の発光装置２２６が設けられ、右上角、右下角、左上角、左下角に配置され、回路の制御により、所定の順序（必要による。並びに第２レンズ１１４の活動に組み合わされ得る。）で循環式に発光する。発光装置２２６が順番に点灯することにより使用者の視線を引き眼球を活動させ、良好な視力訓練効果を達成させることができる。
【００３３】
図７及び図８は本発明の第３実施例の調整式プリズム視力訓練装置を示し、それは図中で符号３００を以て表示されている。第１実施例の調整式プリズム視力訓練装置１００と同様に、調整式プリズム視力訓練装置３００はフレーム或いは固定手段３０２を具え、その内部に使用者の眼球に対応するウインドウ３０４が設けられ、この実施例では眼球に対応する二つの位置に設けられた穿孔とされている。各一つのウインドウ３０４内に本発明の調整式光線屈折装置３０６が設けられている。このほか、固定手段３０２内に駆動装置３０８、例えば電動モータ設けられている。第１実施例と同様に、この駆動装置３０８設置位置に制限はない。
【００３４】
駆動装置３０８は伝動機構３１０により、それぞれ調整式光線屈折装置３０６に連接され、駆動装置３０８の駆動により、調整式光線屈折装置３０６の度数が改変されるか、或いはその屈折効果が改変され、これにより眼球内に入射する光線の角度が改変されて、前述の視力訓練の効果が達成される。
【００３５】
調整式光線屈折装置３０６は第１レンズ３１２と第２レンズ３１４を具え、そのうち第１レンズ３１２は固定手段３０２に固定されて移動不能とされ、第２レンズ３１４は可動式に固定手段３０２のウインドウ３０４内に設置され、並びに伝動機構３１０を介して駆動装置３０８に連接され、駆動装置３０８の動作により第１レンズ３１２に対して移動し、これにより第１レンズ３１２と第２レンズ３１４の間の空間関係が改変され、光線が第２レンズ３１４と第２レンズ３１４を通過する時に発生する屈折効果が変化する。
【００３６】
本実施例では、第２レンズ３１４はその外側の辺縁、即ち二つの第２レンズ３１４の相互に遠く離れた辺縁を以て、枢接軸３１６で固定手段３０２のウインドウ３０４内に固定される。この調整式プリズム視力訓練装置３００にバンドが組み合わされて使用者の頭部Ｄに装着される時、第２レンズ３１４の枢接軸３１６がほぼ鉛直状を呈し、伝動機構３１０の駆動により、第２レンズ３１４がその枢接軸３１６の回りを回転し、それと第１レンズ３１２との間の夾角を改変し、一種のプリズムのような光学構造を形成する。この第３実施例中、伝動機構３１０はスクリューロッド３２０を具え、該スクリューロッド３２０が直接駆動装置３０８のモータの出力軸に連接されるか或いはその他の方式でモータにより駆動されて回転する。スクリューロッド３２０の前端が螺合方式でピストン３２８に連結され、これによりスクリューロッド３２０が回転する時、ピストン３２８が圧力シリンダ３３０内で線形移動を形成する。
【００３７】
第１レンズ３１２と第２レンズ３１４の間にはフレキシブルチューブ３２４が設けられ、該フレキシブルチューブ３２４は蛇腹管とされるか、或いはその他の形式のソフトチューブとされ、それは第１レンズ３１２と第２レンズ３１４の間で密閉された空間を形成し、その空間が導管３３２を介して圧力シリンダ３３０内に連通する。この空間及び圧力シリンダ３３０内に適当な屈折率を有する透明流体（未表示）が注入され、圧力シリンダ３３０内の流体がピストン３２８の線形移動作用下でフレキシブルチューブ３２４に注入されるか抽出され、これにより強制的に第２レンズ３１４に枢接軸３１６の回りを回転させ、第１レンズ３１２と第２レンズ３１４の間の夾角を改変し、これにより入射光線の屈折効果を改変する。ここで、圧力シリンダ３３０はフレキシブルチューブ３２４内部の充填流体の供給源とされる。
【００３８】
同様にスクリューロッド３２０の回転は連続の作業とされ、これにより作業流体のフレキシブルチューブ３２４内の空間への注入或いは抽出は無段式に漸進変化するものとされ、それに駆動される第２レンズ３１４もまた斬新方式でその第１レンズ１１２に対する角度を改変し、ゆえに連続式に屈折効果を調整する機能が提供される。
【００３９】
続いて、図９は本発明の調整式プリズム視力訓練装置の第４実施例を示し、それは図中で符号４００を以て表示される。この調整式プリズム視力訓練装置４００は第３実施例の調整式プリズム視力訓練装置３００を改良したもので、その構造と作動原理は第３実施例と同じであるため重複した説明は行わない。この第４実施例では、その固定手段３０２に複数の発光装置４２６、例えば発光ダイオードが設けられ、適当な回路（図示せず）により制御されて適時に発光するものとされ、これにより使用者の視線を吸引して眼球の活動と視力訓練の効果を達成する。
【００４０】
この実施例中、各調整式光線屈折装置３０６の周囲には、ウインドウ３０４に沿って合計４個の発光装置４２６が設けられ、右上角、右下角、左上角、左下角に配置され、回路の制御により、所定の順序（必要による。並びに第２レンズ３１４の活動に組み合わされ得る。）で循環式に発光する。発光装置４２６が順番に点灯することにより使用者の視線を引き眼球を活動させ、良好な視力訓練効果を達成させることができる。
【００４１】
以上の実施例は本発明の実施範囲を限定するものではなく、本発明に基づきなしうる細部の修飾或いは改変は、いずれも本発明の請求範囲に属するものとする。
【００４２】
【発明の効果】
本発明の調整式プリズム視力訓練装置は、固定手段を具え、使用者の眼球前方に設置或いは装着され、該固定手段にあって使用者の眼球に対応する位置に、光線を通過させるウインドウが設けられている。該ウインドウ内に調整式光線屈折装置が設けられ、それは第１レンズと第２レンズを具え、該第２レンズが駆動装置により伝動機構を介して駆動されて第１レンズに対して回転し第１レンズとの間の夾角を改変し、これにより入射光線の屈折状態を改変して使用者の眼球を外転させる。重複して使用者の眼球を外転させることにより視力訓練の効果を達成する。
【図面の簡単な説明】
【図１】人が物体を見る時の、眼球内転状況表示図である。
【図２】眼球前方にプリズムを設置して入射光線を改変して眼球を外転させる状況表示図である。
【図３】本発明の調整式プリズム視力訓練装置を使用者の頭部に装着した状況表示図である。
【図４】本発明の調整式プリズム視力訓練装置の第１実施例の正面断面図である。
【図５】本発明の調整式プリズム視力訓練装置の第１実施例の平面断面図である。
【図６】本発明の調整式プリズム視力訓練装置の第２実施例の正面断面図である。
【図７】本発明の調整式プリズム視力訓練装置の第３実施例の正面断面図である。
【図８】本発明の調整式プリズム視力訓練装置の第３実施例の平面断面図である。
【図９】本発明の調整式プリズム視力訓練装置の第４実施例の正面断面図である。
【符号の説明】
１００  調整式プリズム視力訓練装置
１０２  固定手段
１０４  ウインドウ
１０６  調整式光線屈折装置
１０８  駆動装置
１１０  伝動機構
１１２  第１レンズ
１１４  第２レンズ
１１６  枢接軸
１１８  内側辺縁
１２０  スクリューロッド
１２２  可動手段
１２４  フレキシブルチューブ
２００  調整式プリズム視力訓練装置
２２６  発光装置
３００  調整式プリズム視力訓練装置
３０２  固定手段
３０４  ウインドウ
３０６  調整式光線屈折装置
３０８  駆動装置
３１０  伝動機構
３１２  第１レンズ
３１４  第２レンズ
３１６  枢接軸
３１８  内側辺縁
３２０  スクリューロッド
３２４  フレキシブルチューブ
３２８  ピストン
３３０  圧力シリンダ
３３２  導管
４００  調整式プリズム視力訓練装置
４２６  発光装置
【図１】
2004351103.tif 000003
【図２】
2004351103.tif 000004
【図３】
2004351103.tif 000005
【図４】
2004351103.tif 000006
【図５】
2004351103.tif 000007
【図６】
2004351103.tif 000008
【図７】
2004351103.tif 000009
【図８】
2004351103.tif 000010
【図９】
2004351103.tif 000011